(57)【特許請求の範囲】
【請求項１】
表示対象に対して表示データを表示する表示制御装置であって、
前記表示データの表示内容の変化を判別する判別手段と、
前記判別手段で前記表示データの表示内容の変化を判別した際は、当該表示データが表
示される前記表示対象における表示環境の照度を検出し、かつ前記表示対象上の位置を指示するポインタ装置から照度情報を取得する取得手段と、
前記取得手段で取得した照度情報に基づいて前記表示対象に表示する前記表示データに重畳して表示するスポット指標の表示態様を決定するよう制御する制御手段と、
を具備したことを特徴とする表示制御装置。
【請求項２】
前記判別手段は、前記表示データの表示内容の変化を、当該表示データの色又は輝度の
特徴量の解析結果、又は前記表示データの変更の有無、に応じて判別する、
ことを特徴とする請求項１に記載の表示制御装置。
【請求項３】
前記取得手段は、前記ポインタ装置に対して表示環境の検出指示を送信し、当該送信に応答して前記ポインタ装置から送信される照度情報を、前記表示環境の照度情報として取得する、
ことを特徴とする請求項１〜２の何れかに記載の表示制御装置。
【請求項４】
前記制御手段は、前記表示態様としての、色、又は形状、又は大きさ、又は明るさを、前記取得手段で取得した照度情報に基づいて変更して決定する、
ことを特徴とする請求項１〜３の何れかに記載の表示制御装置。
【請求項５】
前記制御手段は、前記取得手段で取得した照度情報に基づいて表示環境の明暗を判別し、表示環境が暗い場合には前記表示態様として暗い表示態様を決定し、一方、表示環境が明るい場合には前記表示態様として明るい表示態様を決定する、
ことを特徴とする請求項１〜４の何れかに記載の表示制御装置。
【請求項６】
表示対象に対して表示データを表示する表示制御方法であって、
前記表示データの表示内容の変化を判別する判別ステップと、
前記判別ステップで前記表示データの表示内容の変化を判別した際は、当該表示データ
が表示される前記表示対象における表示環境のおける表示環境の照度を検出し、かつ前記表示対象上の位置を指示するポインタ装置から照度情報を取得する取得ステップと、
前記取得ステップで取得した照度情報に基づいて前記表示対象に表示する前記表示デー
タに重畳して表示するスポット指標の表示態様を決定するよう制御する制御ステップと、
を有することを特徴とする表示制御方法。
【請求項７】
表示対象に対して表示データを表示する表示制御装置のコンピュータを制御するための
プログラムであって、
前記コンピュータを、
前記表示データの表示内容の変化を判別する判別手段、
前記判別手段で前記表示データの表示内容の変化を判別した際は、当該表示データが表
示される前記表示対象における表示環境のおける表示環境の照度を検出し、かつ前記表示対象上の位置を指示するポインタ装置から照度情報を取得する取得手段、
前記取得手段で取得した照度情報に基づいて前記表示対象に表示する前記表示データに重畳して表示するスポット指標の表示態様を決定するよう制御する制御手段、
として機能させるようにしたプログラム。
【発明の詳細な説明】
【技術分野】
【０００１】
本発明は、表示制御装置、表示制御方法及びプログラムに関する。
【背景技術】
【０００２】
液晶プロジェクタで低消費電力化、光源用ランプの調光による明るさ調整、光源用ランプの長寿命化を可能にするべく、周囲光量を検出してその検出出力により、光源用ランプに供給する電力を制御するようにした技術が考えられている。（例えば、特許文献１）
【先行技術文献】
【特許文献】
【０００３】
【特許文献１】特開２０００−１３１６６８号公報
【発明の概要】
【発明が解決しようとする課題】
【０００４】
上記特許文献に記載された技術では、入力画像に基づいて投影する画像の明るさを、プロジェクタ自体が設置された環境の明るさに応じて制御する場合について説明している。そのため、プロジェクタ自体が設置された環境光量に応じて、画面の明るさを調整できたとしても、特に投影画像に対するポイント指定を行なうためにポインタ装置を使用する場合、例えばレーザ光を発して投影画像中の位置指定を行なうレーザポインタを使用する場合などでは、投影される環境の明るさと画像中で指定されるポイントマークとの明るさの対応がとれておらず、環境に対してポイントマークが暗くて視認し難いケースや、あるいは逆に環境に対してポイントマークが明るすぎて目に負担をかけるようなケースが生じる虞がある。
【０００５】
本発明は、その目的とするところは、表示環境に応じて表示内容を見易い状態で表示させることにある。
【課題を解決するための手段】
【０００６】
請求項１は、表示対象に対して表示データを表示する表示制御装置であって、前記表示データの表示内容の変化を判別する判別手段と、前記判別手段で前記表示データの表示内容の変化を判別した際は、当該表示データが表示される前記表示対象における表示環境のおける表示環境の照度を検出し、かつ前記表示対象上の位置を指示するポインタ装置から照度情報を取得する取得手段と、前記取得手段で取得した照度情報に基づいて前記表示対象に表示する前記表示データに重畳して表示するスポット指標の表示態様を決定するよう制御する制御手段と、を具備したことを特徴とする。
【発明の効果】
【０００７】
本発明によれば、表示環境に応じて表示内容を見易い状態で表示させることが可能となる。
【図面の簡単な説明】
【０００８】
【図１】本発明の一実施形態に係るプレゼンテーション環境で使用される投影システムの概略構成を示す図。
【図２】同実施形態に係るプロジェクタ装置内部の機能構成を示すブロック図。
【図３】同実施形態に係るポイントペン内部の機能構成を示すブロック図。
【図４】同実施形態に係るポイントペン使用時にプロジェクタ装置のＣＰＵが実行する処理内容を示すフローチャート。
【図５】同実施形態に係るスポット指標の一態様としての軌跡を環境光に合わせて投影した状態を例示する図。
【発明を実施するための形態】
【０００９】
以下本発明をＤＬＰ（登録商標）方式のプロジェクタ装置を含む投影システムでプレゼンテーションを行なう場合の一実施形態について図面を参照して説明する。  
図１は、上記投影システムの概略構成を示す。同図で１がプロジェクタ装置、２が上記プロジェクタ装置１専用のポイントペン（投影補助装置）であり、プロジェクタ装置１とポイントペン２とは例えばＢｌｕｅｔｏｏｔｈ（登録商標）技術によりクラス２（半径約１０［ｍ］）の範囲内で無線接続される。
【００１０】
プロジェクタ装置１は外部接続される機器、あるいはＵＳＢメモリ等に記録された画像ファイルから入力する画像信号に応じた画像を、投影対象のスクリーンＳＣに投影する。
【００１１】
プロジェクタ装置１が投影する画像中には、本来の画像とは別に位置座標検出用のグラデーション画像が含まれ、ポイントペン２はプロジェクタ装置１からの指示タイミングでスクリーンＳＣの向けた位置に対する照度（輝度）を検出することによりポイント位置を検出可能となる。
【００１２】
上記位置座標検出用の画像は、例えば画像の左端から右端に向けてフル階調からゼロ階調に変化するグラデーション画像、これを反転して右端から左端に向けてフル階調からゼロ階調に変化するグラデーション画像、上端から下端に向けてフル階調からゼロ階調に変化するグラデーション画像、これを反転して下端から上端に向けてフル階調からゼロ階調に変化するグラデーション画像の計４画面を１組として構成され、人間の肉眼による残像上では相殺されて本来の投影画像にはほとんど影響を与えないようになっている。
【００１３】
ポイントペン２は、詳しくは後述するが、内部に受光系及び上記位置座標の算出回路を備え、投影画像中の任意の位置をポイントとすることにより、そのポイントを向けた位置の照度を検出し、その時点でポイントペン２により指示している位置座標を算出してプロジェクタ１に送信する。
【００１４】
これを受けたプロジェクタ装置１は、例えば投影画像中の該当位置に図示する如くポインタマークＰＴを重ねて投影させる。
【００１５】
次に図２により上記プロジェクタ装置１の概略機能構成を説明する。  
同図で１１は入力部であり、例えばビデオ入力端子、ＲＧＢ入力端子、ＶＧＡ端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子などを備え、これらのいずれかの端子に与えられる画像信号に対し、必要に応じてデジタル化した後に、システムバスＳＢ１を介して画像変換部１３に送る。
【００１６】
また、１２はＵＳＢ（Ｕｎｉｖｅｒｓａｌ  Ｓｅｒｉａｌ  Ｂｕｓ）インタフェース（Ｉ／Ｆ）であり、Ｕｎｉｖｅｒｓａｌ  Ｓｅｒｉａｌ  Ｂｕｓ端子を備える。図示しないＵＳＢケーブルを用い、外部機器として例えばパーソナルコンピュータを接続した場合、プロジェクタ装置１にはＵＳＢのアイソクロナス転送により静止画、動画や音声等のデジタルデータが入力可能となる。
【００１７】
しかるに、入力部１１またはＵＳＢインタフェース１２を介して入力した画像信号に対し、スケーラとも称される画像変換部１３が投影に適した所定のフォーマットの画像データに変換して投影処理部１４へ送る。
【００１８】
この際、ＯＳＤ（Ｏｎ  Ｓｃｒｅｅｎ  Ｄｉｓｐｌａｙ）用の各種動作状態を示すシンボル、上述したポインタマークＰＴ等の画像データも必要に応じて画像変換部１３が画像データに重畳加工し、加工後の画像データを投影処理部１４へ送る。
【００１９】
投影処理部１４は、内部に表示用のメモリ（ビデオメモリ）を有し、送られてきた画像データに応じて、所定のフォーマットに従ったフレームレート、例えば１２０［フレーム／秒］と色成分の分割数、及び表示階調数を乗算した、より高速な時分割駆動により、上記表示用のメモリに記憶したデータを用いて空間的光変調素子であるマイクロミラー素子１５を表示するべく駆動する。
【００２０】
このマイクロミラー素子１５は、アレイ状に配列された複数、例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分の微小ミラーの各傾斜角度を個々に高速でオン／オフ動作して画像を表示することで、その反射光により光像を形成する。
【００２１】
このときマイクロミラー素子１５で表示する画像には、上述した位置座標検出用のグラデーション画像も含む。
【００２２】
一方で、光源部１６から時分割でＲ，Ｇ，Ｂの原色光を含む複数色の光が循環的に時分割で順次出射される。この光源部１６からの光が、ミラー１７で全反射して上記マイクロミラー素子１５に照射される。
【００２３】
そして、マイクロミラー素子１５での反射光で光源部１６からの光の色に応じた光像が形成され、形成された光像が投影レンズ部１８を介して、投影対象となる、ここでは図示しない上記図１のスクリーンＳＣ等に投影表示される。
【００２４】
上記各回路の動作すべてをＣＰＵ１９が制御する。このＣＰＵ１９は、メインメモリ２０及びプログラムメモリ２１と直接接続される。メインメモリ２０は、例えばＳＲＡＭで構成され、ＣＰＵ１９のワークメモリとして機能する。プログラムメモリ２１は、電気的に書換可能な不揮発性メモリで構成され、ＣＰＵ１９が実行する動作プログラムや各種定型データ等を記憶する。ＣＰＵ１９は、上記メインメモリ２０及びプログラムメモリ２１を用いて、このプロジェクタ装置１内の制御動作を実行する。
【００２５】
さらにプログラムメモリ２１には、スポット指標態様テーブル２１ａが設けられる。このスポット指標態様テーブル２１ａは、ユーザが任意に選択したスポット指標、例えば上記図１のポインタマークＰＴや、あるいはポイントペン２のポイント位置の軌跡などに対し、後述するようにポイントペン２で検出された照度に基づいて、色、形状、大きさ、点滅パターン、明るさ、及びテクスチャ（模様）のいずれかを変更するためのテーブルを複数予め記憶している。
【００２６】
上記ＣＰＵ１９は、操作部２２からのキー操作信号に応じて各種投影動作を実行する。  
この操作部２２は、プロジェクタ装置１の本体に設けられるキー操作部と、このプロジェクタ装置１専用の図示しないリモートコントローラからの赤外光を受光する赤外線受光部とを含み、ユーザが本体のキー操作部またはリモートコントローラで操作したキーに基づくキー操作信号をＣＰＵ１９へ直接出力する。
【００２７】
上記ＣＰＵ１９はさらに、上記システムバスＳＢ１を介して音声処理部２３、ポインタ通信部２４とも接続される。音声処理部２３は、ＰＣＭ音源等の音源回路を備え、投影動作時に与えられる音声データをアナログ化し、スピーカ部２５を駆動して拡声放音させ、あるいは必要によりビープ音等を発生させる。
【００２８】
ポインタ通信部２４は、アンテナ２６を介して上記ポイントペン２と例えばＢｌｕｅｔｏｏｔｈ（登録商標）技術により無線接続し、ポイントペン２から送られてくる座標情報、ポイントペン２に備えられるキーの操作信号、ポイントペン２の照度センサで測定したポイントペン２がある位置の照度に関する情報等を受信して上記ＣＰＵ１９へ送出する。
【００２９】
次に図３により上記ポイントペン２の概略機能構成を説明する。
【００３０】
同図で３１は受光レンズ部である。上記スクリーンＳＣにこの受光レンズ部３１を対向させた場合、そのスクリーンＳＣ上のスポット位置における光が受光レンズ部３１で捉えられ、受光センサ３２上で結像される。受光センサ３２の出力する受光信号は受光復調部３３に送られる。
【００３１】
このように、受光レンズ部３１、受光センサ３２により、指向性の強いセンサとなり、スクリーンＳＣ上のスポット位置における照度を検出できる。
【００３２】
受光復調部３３は、指示されたタイミングで受光センサ３２から送られてきた受光信号をデジタル化してその明るさ（照度）に応じた信号に変換することで、上述した計４枚分のグラデーション画像により、受光レンズ部３１が対向していたスクリーンＳＣ上の投影画像内における２次元の位置座標を取得し、取得した位置座標データを、システムバスＳＢ２を介してＣＰＵ３４へ送出する。
【００３３】
このＣＰＵ３４は、メインメモリ３５及びプログラムメモリ３６と直接接続される。メインメモリ３５は、例えばＳＲＡＭで構成され、ＣＰＵ３４のワークメモリとして機能する。プログラムメモリ３６は、電気的に書換可能な不揮発性メモリで構成され、ＣＰＵ３４が実行する動作プログラムや各種定型データ等を記憶する。ＣＰＵ３４は、上記メインメモリ３５及びプログラムメモリ３６を用いて、このポイントペン２内の制御動作を実行する。
【００３４】
上記ＣＰＵ３４は、キー操作部３７からのキー操作信号に応じて各種ポイント動作を実行する。  
このキー操作部３７は、例えばこのポイントペン２の電源キー、クリック操作に使用するクリックキー、動作メニュー選択時にメニュー項目を選択するための番号キー等を含み、それらのキー操作に基づくキー操作信号をＣＰＵ３４へ直接出力する。
【００３５】
本実施形態では、これらのキーはいずれもポイントペン２の上記受光レンズ部３１を設けた先端側に近い位置に纏めて配列するものとする。
【００３６】
上記ＣＰＵ３４はさらに、上記システムバスＳＢ２を介して照度センサ３８及びプロジェクタ通信部４０とも接続される。  
照度センサ３８は、上記図１に示すように、ユーザの把持により覆われることを考慮してこのポイントペン２の上記受光レンズ部３１を設けた先端部とは反対の尾端側で、且つ上記キー操作部３７のキーを上に向けた場合に同じく上向きとなる位置に設けられるものとする。照度センサ３８は、このポイントペン２を使用している環境下での照度を検出するもので、検出した値を測定結果として上記ＣＰＵ３４へ送出する。
【００３７】
このように、照度センサ３８は、ポイントペン２の受光レンズ部３１のある先端が向けられている位置の照度ではなく、ユーザによって持たれたポイントペン２が位置する環境の照度を検出するもので、上述の受光レンズ部３１、受光センサ３２と異なり、指向性のない（弱い）ものである。
【００３８】
プロジェクタ通信部４０は、アンテナ４１を介して上記プロジェクタ装置１側と例えばＢｌｕｅｔｏｏｔｈ（登録商標）技術により無線接続し、上記投影画像の位置座標データや上記照度センサ３８で検出、測定した照度に基づく処理結果の情報等をプロジェクタ装置１に向けて送信する。
【００３９】
次に上記実施形態の動作について説明する。  
以下に示すプロジェクタ装置１側での動作はＣＰＵ１９の制御に基づいて実行される。ＣＰＵ１９はプログラムメモリ２１に記憶されている動作プログラムやデータを読出し、メインメモリ２０に展開して記憶させた上で該動作プログラムを実行する。
【００４０】
プログラムメモリ２１に記憶されている動作プログラム等は、このプロジェクタ装置１の製造工場出荷時にプログラムメモリ２１に記憶されていたものに加え、例えばこのプロジェクタ装置１のバージョンアップに際して、プロジェクタ装置１を、上記ＵＳＢインタフェース１２を介して外部のパーソナルコンピュータ等と接続、あるいはバージョンアップ用のソフトウェアを格納したＵＳＢメモリをＵＳＢ端子に接続することにより外部から新たな動作プログラム等をインストールするものも含む。
【００４１】
図４は、ポイントペン２使用時のプロジェクタ装置１側での基本的な処理の流れを示す。  
ＣＰＵ１９は、ポイント位置の座標検出用のグラデーション画像を適宜（後述する所定の時間（画像のフレームレートに基づく周期）毎に）挿入して、入力部１１またはＵＳＢインタフェース１２から入力される画像信号に対応した画像をマイクロミラー素子１５で表示させ、光源部１６からの光を用いて投影レンズ部１８により投影対象のスクリーンＳＣに向けて投影させる（ステップＳ１０１）。
【００４２】
このときＣＰＵ１９は、その時点で設定されているスポット指標の態様に基づき、直前に所得したポイントペン２からの位置座標情報に応じた位置に設定されている態様のスポット指標の画像を重畳して表示させる。
【００４３】
その後、ＣＰＵ１９はポイントペン２に対してポイントしている位置の座標情報を取得するべく指示する信号を送信する（ステップＳ１０２）。  
この指示信号に応答してポイントペン２から取得した位置の座標情報の信号を受信する（ステップＳ１０３）。
【００４４】
ＣＰＵ１９は、受信したポイントペン２の位置座標の信号により次にスポット指標を表示する位置を更新設定する（ステップＳ１０４）。
【００４５】
加えてＣＰＵ１９は、その時点で入力部１１またはＵＳＢインタフェース１２から入力され、投影を行なった元の画像信号に基づき、画像の特徴量、例えば輝度の分布を示すヒストグラムや、データ圧縮時のＤＣＴ（離散コサイン変換）等で用いられる基準ブロック毎の平均色を示すＤＣ（直流成分）値の行列、全画素の平均輝度、等を解析して、その解析結果を保持する（ステップＳ１０５）。
【００４６】
次にＣＰＵ１９は、この直前のステップＳ１０５で保持した解析結果と、画像データ１フレーム分前のタイミングで同様に保持した解析結果とを比較し、その類似度を算出した上で、算出した類似度が予め設定されるしきい値以上であるか否かにより、投影した画像がその直前に投影した画像から一定量以上変化したか否かを判断する（ステップＳ１０６）。
【００４７】
ここで算出した類似度が予め設定されるしきい値より小さく、投影した画像がその直前に投影した画像から一定量以上変化していないと判断した場合、ＣＰＵ１９は、次にＵＳＢインタフェース１２を介して接続されたＵＳＢメモリからの画像データの読出し等に際して、操作部２２で、ページの切換え操作（例えば、プレゼンテーション資料のスライド送り操作等）がなされたか否かを判断する（ステップＳ１０７）。
【００４８】
ページの切換え操作がなされていないと判断した場合、ＣＰＵ１９は新たな画像投影の処理に移行するべく、再び上記ステップＳ１０１からの処理に戻る。
【００４９】
しかるに、上記ステップＳ１０１〜Ｓ１０７の処理は、マイクロミラー素子１５で画像の表示を行ない、光源部１６からの光で光像を形成して投影レンズ部１８で投射させる投影動作そのものであり、カラー画像のフレームレート、例えば１２０［フレーム／秒］で実行される。
【００５０】
したがって、ポイントペン２でのポイント位置の座標情報の取得、及び取得した座標位置に基づくスポット指標の投影画像中への重畳投影も上記カラー画像のフレームレートで実行される。
【００５１】
しかるに上記ステップＳ１０６において、投影した画像がその直前に投影した画像から一定量以上変化したと判断した場合、及び上記ステップＳ１０７において、操作部２２でページの切換え操作がなされたと判断した場合、いずれも投影画像の内容が大きく変化したタイミングであるものとして、ＣＰＵ１９はポイントペン２に対して、環境光の照度を取得するべく指示する信号を送信する（ステップＳ１０８）。  
この指示信号に応答してポイントペン２から取得した照度の情報の信号を受信する（ステップＳ１０９）。
【００５２】
ＣＰＵ１９は、ポイントペン２から受信した照度情報に応じてスポット指標態様テーブル２１ａをアクセスし、予め設定されている中からその時点のスポット指標での照度に応じた表示態様の情報を決定する（ステップＳ１１０）。
【００５３】
そして、決定したスポット指標の表示態様をあらためて更新設定した上で（ステップＳ１１１）、再び上記ステップＳ１０１からの処理に戻る。
【００５４】
図５は、このようなスポット指標の表示態様をポイントペン２で取得した照度に応じて可変する場合について説明する。ここでは、ポイントペン２によるポイント位置を示すスポット指標として、上記図１に示したようなポインタマークＰＴではなく、代わりに直前の過去一定時間分、例えば過去５秒間分のポイント位置を連続した線で表す軌跡ＴＲを表示している状態を示す。
【００５５】
図５（Ａ）は、ポイントペン２の環境が比較的暗く、スクリーンＳＣが設置された環境も同様に暗いと考えられる場合の軌跡ＴＲ１を示す。環境が暗い状況では、目への負担を考慮して、背景に対して、一般的な各種ドキュメント等ではあまり多用されないような色で、例えば、比較的に輝度の低い、薄い色（淡い色）である黄色やピンク等を選択することで、ポイントペン２でのポイント位置を、背景となる投影画像上で充分識別させるとともに、目に優しく適切に視認できるように軌跡ＴＲ１を重畳して投影させるようにする。
【００５６】
これに対して図５（Ｂ）は、ポイントペン２の環境が比較的明るく、スクリーンＳＣが設置された環境も同様に明るいと考えられる場合の軌跡ＴＲ２を示す。環境が比較的明るい状況では、目への負担をそれ程考慮する必要がないので、背景に対して、輝度とともに彩度も優先して背景とは明確に区分できるような色、例えば、輝度、彩度の高い（濃い）、はっきりとした赤色、紫色、あるいは緑色等を選択することで、ポイントペン２でのポイント位置を、背景となる投影画像上で充分識別できるように軌跡ＴＲ２を重畳して投影させるようにする。
【００５７】
なお上記図５で示した例は、ポイントペン２が取得した照度により環境が「明るい」「暗い」と２段階に分けて制御するような、非常に簡易な照度に対する判定を行なう場合について説明したが、これは、説明を簡略化するためのものであり、照度に対する区分を３段階以上、例えば１５段階程度に分けて設定するものとしても良いし、さらには段階的に分けるのではなく、リニアに無段階に変化するものとして設定しても良い。
【００５８】
以上詳述した如く本実施形態によれば、ポイントペン２側で取得した照度に基づく表示環境の明るさに応じて、画像に重畳されるスポット指標を目に優しく見易い状態で表示させることが可能となる。
【００５９】
また上記実施形態では、プロジェクタ装置１からポイントペン２に照度情報の取得を指示する信号を送信した場合にのみポイントペン２側で照度の所得を行なうものとしたので、電池駆動により使用電力が制限されるポイントペン２を鑑み、無駄な電力消費を回避できる。
【００６０】
さらに上記実施形態では、投影する画像の特徴を解析することで、その解析結果から画像が大きく変化した場合に限って、スポット指標の表示態様を可変設定のトリガとなる照度取得指示信号を送信するものとしたので、不用意にスポット指標の表示態様が変化して不自然な描写となるのを抑制できる。
【００６１】
また上記実施形態では、プロジェクタ装置１が投影する位置検出用の画像に合わせてポイントペン２に位置検出の取得を指示するものとしたので、特にＤＬＰ（登録商標）方式のプロジェクタで用いられる、インタラクティブ方式の専用の電子ペン等に容易に適用が可能となる。
【００６２】
さらに上記実施形態では、プロジェクタ装置１がポイントペン２に照度の取得を指示する信号を送信する頻度を、ポイントペン２でのポイント位置の取得を指示する信号を送信する頻度より少なくするものとしたので、投影画像上のスポット指標のなめらかな変化を維持しつつ、電池駆動となるポイントペン２の無駄な電力消費を回避できる。
【００６３】
また上記実施形態でも一部を示した通り、表現しうるスポット指標として、その色や形状、大きさ、点滅パターン、明るさ、及びテクスチャのうち、少なくとも１つを含む表示態様を決定する。このようにして、照度に応じて様々な態様を変化させるものとしたので、ユーザの多様な要求に答えて、視認し易いスポット指標を表現できる。
【００６４】
なお上記実施形態では、本来投影すべき画像にスポット指標を重畳して合成した画像まで鑑賞者であるユーザに提供できる。
【００６５】
また上記実施形態で説明した機能を、表示部を有する表示装置に内蔵するものとした場合、スポット指標によるポイント表示を含めてコンパクトなシステムが実現できる。
【００６６】
特に本実施形態の如く、画像を外部のスクリーン等に投影する投影装置に適用した場合には、プレゼンテーションにおけるポイント指示等、スポット指標を用いた画像の投影をより有効に活用できる。
【００６７】
また上記実施形態で、ポイントペン２側で取得した照度に基づいてスポット指標の表示態様を制御することで、より環境に即した照度での表示、投影が実現できる。
【００６８】
さらに上記実施形態では、ポイントペン２の照度センサ３８を設ける位置を、ポイントペン２の受光レンズ部３１や他のキー操作部３７を設ける位置に対し、意図してポイントペン２ケーシングの反対側に設けるものとしたので、ポイントペン２を把持してキー操作部３７を操作する場合にもユーザの手指等で照度センサ３８が覆われる可能性を極力低くし、照度取得に伴う動作を確実に実現できる。
【００６９】
なお、上記実施形態では、スポット指標の表示様態を決定する点について説明したが、ポイントペン２側で取得した照度に基づく表示環境の明るさに応じて、スポット指標の表示様態だけでなく、重畳される側の投影すべき画像データ自体の明るさ等の表示様態を、例えば、暗い環境では、やや暗くするといったように調整して、目に負担をかけることなく、かつ見易い画像を鑑賞者であるユーザに提供するようにしてもよい。  
その場合、両者のバランスを考えて、表示様態を決定することが望ましい。
【００７０】
そのようにすれば、スポット指標だけでなく、重畳された合成の画像として、目に負担をかけることなく、かつ見易い画像をユーザに提供することができる。
【００７１】
なお上記実施形態は、本発明をＤＬＰ（登録商標）方式のプロジェクタ装置を含む投影システムに適用した場合について説明したものであるが、本発明はこれに限らないことは勿論である。
【００７２】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００７３】
以下に、本願出願の当初の特許請求の範囲に記載された発明を付記する。  
請求項１記載の発明は、表示対象上に表示されるデータの位置を指示するポインタ装置との協働により動作する表示制御装置であって、上記ポインタ装置が取得した上記表示対象の指示位置の位置情報を受信する位置受信手段と、上記ポインタ装置が取得した表示環境の照度情報を受信する照度受信手段と、上記照度受信手段で受信した照度情報に基づいて上記指示位置のスポット指標の表示態様を決定する態様決定手段と、上記態様決定手段で決定した表示態様と上記位置受信手段で受信した位置情報とに基づいて上記表示対象上に表示させるスポット指標を生成する生成手段とを具備したことを特徴とする。
【００７４】
請求項２記載の発明は、上記請求項１記載の発明において、上記ポインタ装置に照度情報の取得を指示する照度取得指示信号を送信する照度指示送信手段をさらに具備し、上記照度受信手段は、上記照度指示送信手段での送信に応答して上記ポインタ装置から送信される照度情報を受信することを特徴とする。
【００７５】
請求項３記載の発明は、上記請求項２記載の発明において、上記表示対象上に表示されるデータを解析する解析手段をさらに具備し、上記照度指示送信手段は、上記解析手段での解析結果に基づいて上記照度取得指示信号を送信することを特徴とする。
【００７６】
請求項４記載の発明は、上記請求項３記載の発明において、上記解析手段は、上記表示対象上に表示されるデータの変化を解析し、上記照度指示送信手段は、上記解析手段で変化が予め設定したしきい値より大きい場合に上記照度取得指示信号を送信することを特徴とする。
【００７７】
請求項５記載の発明は、上記請求項２乃至４いずれか記載の発明において、予め設定された条件を満たすタイミングで位置検出用の画像を表示させる表示制御手段と、上記ポインタ装置に上記タイミングで位置情報検出を指示する位置情報取得指示信号を送信する位置取得指示送信手段とをさらに具備し、上記照度指示送信手段が照度取得指示信号を送信する頻度を、上記位置取得指示送信手段が指示取得指示信号を送信する頻度より少なくすることを特徴とする。
【００７８】
請求項６記載の発明は、上記請求項５記載の発明において、上記位置情報受信手段は、上記位置取得指示送信手段での送信に応答して上記ポインタ装置から送信される位置情報を受信することを特徴とする。
【００７９】
請求項７記載の発明は、上記請求項１乃至６いずれか記載の発明において、上記態様決定手段は、上記照度受信手段で受信した照度情報に基づいて、上記スポット指標の色、形状、大きさ、点滅パターン、明るさ、及びテクスチャのうち、少なくとも１つを含む表示態様を決定することを特徴とする。
【００８０】
請求項８記載の発明は、上記請求項１乃至７いずれか記載の発明において、上記表示対象上に表示されるデータに上記生成手段で生成したスポット指標を重畳した合成データを得る合成手段をさらに具備したことを特徴とする。
【００８１】
請求項９記載の発明は、上記請求項１乃至８いずれか記載の発明において、上記照度受信手段で受信した照度情報に基づいて上記スポット指標が重畳される画像データ自体の表示態様を決定する第２の態様決定手段をさらに具備したことを特徴とする。
【００８２】
請求項１０記載の発明は、上記請求項１乃至９いずれか記載の発明において、上記データ及び上記スポット指標を表示対象に表示する表示手段をさらに具備したことを特徴とする。
【００８３】
請求項１１記載の発明は、上記請求項１０記載の発明において、上記表示手段で表示したデータ及びスポット指標を投影する投影手段をさらに具備したことを特徴とする。
【００８４】
請求項１２記載の発明は、表示対象上にデータを表示する表示制御装置と協働して動作し、上記データの位置を指示するポインタ装置であって、上記表示対象上の指示位置情報を取得する位置取得手段と、上記位置取得手段で取得した指示位置情報を送信する位置送信手段と、当該ポインタ装置が存在する環境の照度を取得する照度取得手段と、上記照度取得手段で取得した照度送信する照度送信手段とを具備したことを特徴とする。
【００８５】
請求項１３記載の発明は、上記請求項１２記載の発明において、上記表示制御装置から送信される照度取得指示信号を受信する照度取得指示受信手段をさらに具備し、上記照度取得手段は、上記照度取得指示受信手段で受信した上記照度取得指示信号に対応して照度を取得することを特徴とする。
【００８６】
請求項１４記載の発明は、上記請求項１２または１３記載の発明において、上記照度取得手段は、上記位置取得手段で上記表示対象上の指示位置情報を取得する頻度より少ない頻度で照度を取得することを特徴とする。
【００８７】
請求項１５記載の発明は、上記請求項１２または１３記載の発明において、上記照度送信手段は、上記位置送信手段で上記指示位置情報を送信する頻度より少ない頻度で照度を送信することを特徴とする。
【００８８】
請求項１６記載の発明は、上記請求項１２乃至１５いずれか記載の発明において、上記表示制御装置から送信される位置取得指示信号を受信する位置取得指示受信手段をさらに具備し、上記位置取得手段は、上記位置取得指示受信手段で受信した上記位置取得指示信号に対応し、上記表示対象上の指示位置情報として、スポット指示した位置の照度を取得することを特徴とする。
【００８９】
請求項１７記載の発明は、上記請求項１２乃至１５いずれか記載の発明において、上記照度取得手段を、当該ポインタ装置を構成するケーシング上の上記位置取得手段の位置の反対側の端部に配置することを特徴とする。
【００９０】
請求項１８記載の発明は、表示対象上にデータを表示する表示制御装置と、この表示制御装置と協働して動作し、上記データの位置を指示するポインタ装置とを有するシステムであって、上記表示制御装置は、上記ポインタ装置が取得した上記表示対象の指示位置の位置情報を受信する位置受信手段と、上記ポインタ装置が取得した表示環境の照度情報を受信する照度受信手段と、上記照度受信手段で受信した照度情報に基づいて上記指示位置のスポット指標の表示態様を決定する態様決定手段と、上記態様決定手段で決定した表示態様と上記位置受信手段で受信した位置情報とに基づいて上記表示対象上に表示させるスポット指標を生成する生成手段とを具備し、上記ポインタ装置は、上記表示対象上の指示位置情報を取得する位置取得手段と、上記位置取得手段で取得した指示位置情報を送信する位置送信手段と、当該ポインタ装置が存在する環境の照度を取得する照度取得手段と、上記照度取得手段で取得した照度送信する照度送信手段とを具備することを特徴とする。
【符号の説明】
【００９１】
１…プロジェクタ装置、２…ポイントペン、１１…入力部、１２…ＵＳＢインタフェース（Ｉ／Ｆ）、１３…画像変換部、１４…投影処理部、１５…マイクロミラー素子、１６…光源部、１７…ミラー、１８…投影レンズ部、１９…ＣＰＵ、２０…メインメモリ、２１…プログラムメモリ、２１ａ…スポット指標態様テーブル、２２…操作部、２３…音声処理部、２４…ポインタ通信部、２５…スピーカ部、２６…アンテナ、３１…受光レンズ部、３２…受光センサ、３３…受光復調部、３４…ＣＰＵ、３５…メインメモリ、３６…キー操作部、３７…キー操作部、３８…照度センサ、４０…プロジェクタ通信部、４１…アンテナ、ＰＴ…ポインタマーク、ＳＢ１，ＳＢ２…システムバス、ＳＣ…スクリーン。
【図１】
0006610635.tif 000002
【図２】
0006610635.tif 000003
【図３】
0006610635.tif 000004
【図４】
0006610635.tif 000005
【図５】
0006610635.tif 000006